(57)【要約】【課題】撮像素子における接着スペースが少なくても撮像素子を確実に保持でき小型化を図る上で有利な撮像素子ユニット、レンズ鏡筒および撮像装置を提供する。【解決手段】撮像素子１１のパッケージ１１０２の背面１１０８に半田付けで取着されたフレキシブル基板６６に補強板６４を取着し、この補強板６４がパッケージ１１０２から突出する突出箇所６４０２と、組み付け部４６０８の背面４６Ｂ（接着剤充填用凹部４６１６）との間を接着剤Ｓにより接着して固定した。【選択図】図１
2006254310.tif 000002
【特許請求の範囲】
【請求項１】
被写体像を撮像する撮像素子と、
前記撮像素子組み付け用の組み付け部材と、
前記撮像素子に電気的に接続されたフレキシブル基板とを備え、
前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、
前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、
前記フレキシブル基板は、基板側接続端子が設けられた撮像素子側端部と、前記撮像素子側端部から延出された延出部とを含んで構成され、
前記撮像素子側接続端子に前記基板側接続端子を半田付けにより取り付けた状態で前記撮像素子の背面に前記フレキシブル基板の撮像素子側端部が取着され、
前記撮像素子側端部を覆いかつ前記撮像素子側端部および前記パッケージから突出させて前記撮像素子側端部に補強板が取着され、
前記組み付け部材の第１開口に前記撮像部を臨ませて前記収容凹部に前記撮像素子が収容され、
前記撮像素子側端部およびパッケージから突出する前記補強板の箇所と、前記組み付け部の背面とが接着剤で接着されている、
ことを特徴とする撮像素子ユニット。
【請求項２】
前記補強板は前記撮像素子側端部および前記パッケージの両側からそれぞれ突出し、前記組み付け部は前記収容凹部の両側にそれぞれ設けられ、前記接着剤で接着される前記補強板の箇所と前記組み付け部は、前記撮像素子側端部および前記パッケージの両側から突出する前記補強板の箇所と、前記収容凹部の両側にそれぞれ設けられた前記組み付け部であることを特徴とする請求項１記載の撮像素子ユニット。
【請求項３】
前記補強板は前記撮像素子側端部および前記パッケージの両側からそれぞれ突出し、前記組み付け部は前記収容凹部の両側にそれぞれ設けられ、前記接着剤で接着される前記補強板の箇所と前記組み付け部は、前記撮像素子側端部および前記パッケージの両側から突出する前記補強板の箇所と、前記収容凹部の両側にそれぞれ設けられた前記組み付け部であり、前記フレキシブル基板の延出部は、前記両側の組み付け部を繋ぐ方向に対して直交する方向に延出していることを特徴とする請求項１記載の撮像素子ユニット。
【請求項４】
前記組み付け部の背面には接着剤充填用凹部が設けられ、前記接着剤は前記接着剤充填用凹部に充填されることを特徴とする請求項１記載の撮像素子ユニット。
【請求項５】
前記組み付け部には、その厚さ方向にボルト挿通孔が貫通形成されていることを特徴とする請求項１記載の撮像素子ユニット。
【請求項６】
前記組み付け部の表面には位置決め孔が形成されていることを特徴とする請求項１記載の撮像素子ユニット。
【請求項７】
前記撮像素子側端部と前記補強板は両面粘着テープにより取着されていることを特徴とする請求項１記載の撮像素子ユニット。
【請求項８】
前記撮像素子側端部は前記撮像素子の背面とほぼ同じ大きさで形成され、前記撮像素子側端部は、前記撮像素子側接続端子に前記基板側接続端子が半田付けにより取り付けられた状態で前記撮像素子の背面全域を覆っていることを特徴とする請求項１記載の撮像素子ユニット。
【請求項９】
被写体像を導く光学系が組み込まれた鏡筒と、
前記鏡筒に設けられた撮像素子ユニットとを備えるレンズ鏡筒であって、
前記撮像素子ユニットは、
前記光学系によって導かれる被写体像を撮像する撮像素子と、
前記撮像素子に電気的に接続されたフレキシブル基板と、
前記撮像素子ユニットを前記鏡筒へ組み付けるための組み付け部材とを備え、
前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、
前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、
前記フレキシブル基板は、基板側接続端子が設けられた撮像素子側端部と、前記撮像素子側端部から延出された延出部とを含んで構成され、
前記撮像素子側接続端子に前記基板側接続端子を半田付けにより取り付けた状態で前記撮像素子の背面に前記フレキシブル基板の撮像素子側端部が取着され、
前記撮像素子側端部を覆いかつ前記撮像素子側端部および前記パッケージから突出させて前記撮像素子側端部に補強板が取着され、
前記組み付け部材の第１開口に前記撮像部を臨ませて前記収容凹部に前記撮像素子が収容され、
前記撮像素子側端部およびパッケージから突出する前記補強板の箇所と、前記組み付け部の背面とが接着剤で接着され、
前記組み付け部が前記鏡筒に取着されている、
ことを特徴とするレンズ鏡筒。
【請求項１０】
被写体像を導く光学系が組み込まれた鏡筒と、
前記鏡筒に設けられた撮像素子ユニットとを備える撮像装置であって、
前記撮像素子ユニットは、
前記光学系によって導かれる被写体像を撮像する撮像素子と、
前記撮像素子に電気的に接続されたフレキシブル基板と、
前記撮像素子ユニットを前記鏡筒へ組み付けるための組み付け部材とを備え、
前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、
前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、
前記フレキシブル基板は、基板側接続端子が設けられた撮像素子側端部と、前記撮像素子側端部から延出された延出部とを含んで構成され、
前記撮像素子側接続端子に前記基板側接続端子を半田付けにより取り付けた状態で前記撮像素子の背面に前記フレキシブル基板の撮像素子側端部が取着され、
前記撮像素子側端部を覆いかつ前記撮像素子側端部および前記パッケージから突出させて前記撮像素子側端部に補強板が取着され、
前記組み付け部材の第１開口に前記撮像部を臨ませて前記収容凹部に前記撮像素子が収容され、
前記撮像素子側端部およびパッケージから突出する前記補強板の箇所と、前記組み付け部の背面とが接着剤で接着され、
前記組み付け部が前記鏡筒に取着されている、
ことを特徴とするレンズ鏡筒。
【発明の詳細な説明】
【技術分野】
【０００１】
本発明は撮像素子ユニット、レンズ鏡筒および撮像装置に関する。
【背景技術】
【０００２】
レンズ鏡筒に撮像素子を組み付けるに際して、撮像素子をコネクタに装着し、該コネクタを実装基板に実装することで撮像素子ユニットを構成しておき、この撮像素子ユニットをレンズ鏡筒に取り付けることが提案されている（特許文献１参照）。
このような撮像素子ユニットでは、撮像素子に位置決め基板を設け、該位置決め基板を実装基板にねじで締結することにより、撮像素子がコネクタから脱落しないように固定している。
しかしながらこのような構成では、部品点数が多く組み立て作業が繁雑となる問題があった。
このため、本出願人は、（特願２００３−３５６７９０号）に示すように、撮像素子を構成するパッケージをホルダに接着し、ホルダをレンズ鏡筒にねじなどで取り付ける構成を提案した。
この構成によれば、撮像素子をホルダを介して鏡筒に取り付けるため、構成の簡素化を図る上で有利である。
【特許文献１】特許公報第３１８７９２２号
【発明の開示】
【発明が解決しようとする課題】
【０００３】
しかしながら、上記構成では、撮像素子の小型化などにより撮像素子のパッケージの面積、言い換えると、パッケージの接着面積が少なくなると、撮像素子とホルダとの間の接着強度を確保する上で不利が生じ、撮像素子ユニット、レンズ鏡筒および撮像装置の小型化を図る上での不利が懸念される。
本発明はこのような事情に鑑みなされたものであり、その目的は、撮像素子における接着スペースが少なくても撮像素子を確実に保持でき撮像素子ユニット、レンズ鏡筒および撮像装置の小型化を図る上で有利な撮像素子ユニット、レンズ鏡筒および撮像装置を提供することにある。
【課題を解決するための手段】
【０００４】
上述の目的を達成するため、本発明の撮像素子ユニットは、被写体像を撮像する撮像素子と、前記撮像素子組み付け用の組み付け部材と、前記撮像素子に電気的に接続されたフレキシブル基板とを備え、前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、前記フレキシブル基板は、基板側接続端子が設けられた撮像素子側端部と、前記撮像素子側端部から延出された延出部とを含んで構成され、前記撮像素子側接続端子に前記基板側接続端子を半田付けにより取り付けた状態で前記撮像素子の背面に前記フレキシブル基板の撮像素子側端部が取着され、前記撮像素子側端部を覆いかつ前記撮像素子側端部および前記パッケージから突出させて前記撮像素子側端部に補強板が取着され、前記組み付け部材の第１開口に前記撮像部を臨ませて前記収容凹部に前記撮像素子が収容され、前記撮像素子側端部およびパッケージから突出する前記補強板の箇所と、前記組み付け部の背面とが接着剤で接着されていることを特徴とする。
また、本発明は、被写体像を導く光学系が組み込まれた鏡筒と、前記鏡筒に設けられた撮像素子ユニットとを備えるレンズ鏡筒であって、前記撮像素子ユニットは、前記光学系によって導かれる被写体像を撮像する撮像素子と、前記撮像素子に電気的に接続されたフレキシブル基板と、前記撮像素子ユニットを前記鏡筒へ組み付けるための組み付け部材とを備え、前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、前記フレキシブル基板は、基板側接続端子が設けられた撮像素子側端部と、前記撮像素子側端部から延出された延出部とを含んで構成され、前記撮像素子側接続端子に前記基板側接続端子を半田付けにより取り付けた状態で前記撮像素子の背面に前記フレキシブル基板の撮像素子側端部が取着され、前記撮像素子側端部を覆いかつ前記撮像素子側端部および前記パッケージから突出させて前記撮像素子側端部に補強板が取着され、前記組み付け部材の第１開口に前記撮像部を臨ませて前記収容凹部に前記撮像素子が収容され、前記撮像素子側端部およびパッケージから突出する前記補強板の箇所と、前記組み付け部の背面とが接着剤で接着され、前記組み付け部が前記鏡筒に取着されていることを特徴とする。
また、本発明の撮像装置は、被写体像を導く光学系が組み込まれた鏡筒と、前記鏡筒に設けられた撮像素子ユニットとを備える撮像装置であって、前記撮像素子ユニットは、前記光学系によって導かれる被写体像を撮像する撮像素子と、前記撮像素子に電気的に接続されたフレキシブル基板と、前記撮像素子ユニットを前記鏡筒へ組み付けるための組み付け部材とを備え、前記撮像素子は、板状を呈するパッケージと、該パッケージの表面に臨むようにパッケージに収容された撮像部と、前記パッケージの背面に設けられ前記撮像部に接続する撮像素子側接続端子とを含んで構成され、前記組み付け部材は、その厚さ方向の両端に位置する前面および背面と、前記撮像素子よりも大きな輪郭で前記厚さ方向に延在形成された収容凹部と、前記前面に設けられ前記収容凹部に前記撮像素子が収容された状態で前記撮像部を露出させる第１開口と、前記背面に設けられ前記収容凹部に前記撮像素子が収容された状態で前記パッケージの背面を露出させる第２開口と、前記収容凹部の外側の箇所に設けられた組み付け部とを備え、前記フレキシブル基板は、基板側接続端子が設けられた撮像素子側端部と、前記撮像素子側端部から延出された延出部とを含んで構成され、前記撮像素子側接続端子に前記基板側接続端子を半田付けにより取り付けた状態で前記撮像素子の背面に前記フレキシブル基板の撮像素子側端部が取着され、前記撮像素子側端部を覆いかつ前記撮像素子側端部および前記パッケージから突出させて前記撮像素子側端部に補強板が取着され、前記組み付け部材の第１開口に前記撮像部を臨ませて前記収容凹部に前記撮像素子が収容され、前記撮像素子側端部およびパッケージから突出する前記補強板の箇所と、前記組み付け部の背面とが接着剤で接着され、前記組み付け部が前記鏡筒に取着されていることを特徴とする。
【発明の効果】
【０００５】
本発明によれば、パッケージの小型化に伴いパッケージの面積が少なくなった場合であっても、撮像素子を確実に保持しつつレンズ鏡筒および撮像装置の小型化を図る上で有利となる。
【発明を実施するための最良の形態】
【０００６】
像素子のパッケージの背面に半田付けで取着されたフレキシブル基板に補強板を取着し、この補強板がパッケージから突出する突出箇所と、組み付け部の背面との間を接着剤により接着することによって上記目的を実現した。
【実施例１】
【０００７】
次に本発明の実施例１について図面を参照して説明する。
本実施例では、本発明の撮像素子ユニットが設けられたレンズ鏡筒が撮像装置に組み込まれている場合について説明する。
次に本発明の実施例１について図面を参照して説明する。
本実施例では、本発明のレンズ鏡筒が撮像装置に組み込まれている場合について説明する。
図８は撮像装置を前方から見た斜視図、図９は撮像装置の正面図、図１０は撮像装置の背面図、図１１は撮像装置の平面図、図１２は撮像装置の制御系を示すブロック図である。
なお、本明細書において左右は、撮像装置を前方から見た状態でいうものとし、また、被写体側を前方といい、撮像素子側を後方という。
【０００８】
図８〜図１１に示すように、撮像装置１００は、前後の厚さが約１ｃｍ、上下の高さが約５ｃｍ、左右の幅が約８ｃｍの小型のデジタルスチルカメラであり、外装を構成するケース１０２を有している。
ケース１０２の右側部には、図中二点鎖線で示すように、本発明に係るレンズ鏡筒１０が組み込まれている。
レンズ鏡筒１０は、図１２に示すように、鏡筒１２と、鏡筒１２に収容された撮像素子１１と、鏡筒１２に収容され被写体像を撮像素子１１に導く光学系１０４などを備えている。
光学系１０４は対物レンズ１４を備え、対物レンズ１４はケース１０２前面に設けられたレンズ窓１０３を介してケース１０２前方に臨んで配置されている。
ケース１０２の前面上部中央箇所には、撮影補助光を出射するフラッシュ１０６、セルフタイマーランプ１０８などが設けられている。
ケース１０２の前面にはバリア１１０が上下にスライド可能に設けられ、このバリア１１０は、図８、図９に示すようにレンズ窓１０３、フラッシュ１０６、セルフタイマーランプ１０８を前方に露出させる下限位置と、これらレンズ窓１０３、フラッシュ１０６、セルフタイマーランプ１０８を覆う上限位置とにスライドされる。
ケース１０２の上端面には、撮像を行うためのシャッタボタン１１２、前記撮影光学系のズームを調整するためのズーム操作スイッチ１１４が設けられている。
ケース１０２の左側面の上部には、電源のオンオフを行う電源スイッチ（不図示）が設けられている。
ケース１０２の後面には、撮像した映像を表示するディスプレイ１２０が設けられ、ディスプレイ１２０の側方に、静止画撮影モード、動画撮影モード、再生モードの切り換えを行なうためのモード切り換えスイッチ１２２や、ディスプレイ１２０上にメニューを表示させるためのメニュースイッチ１２４、ディスプレイ１２０上に表示されるメニューを選択するなどの操作を行うためのコントロールスイッチ１２６が設けられている。
また、ケース１０２の後面でディスプレイ１２０の下方に、ディスプレイ１２０上の表示のオンオフを行うための表示スイッチ１２８、画像サイズ切り換えスイッチ１３０などが設けられている。
【０００９】
図１２に示すように、撮像素子１１は、光学系１０４によって結像された被写体像を撮像するＣＣＤやＣＭＯＳセンサなどで構成されている。
撮像素子１１で撮像された像は撮像信号として画像処理部１５２に出力され、画像処理部１５２ではこの撮像信号に対して処理がなされることで静止画あるいは動画の画像データが生成され、メモリカード（記憶媒体）１５４に記録される。また、前記画像データは表示処理部１５６によりディスプレイ１２０に表示される。
さらに、撮像装置１００は、シャッタボタン１１２、ズーム操作スイッチ１１４、前記電源スイッチ、モード切り換えスイッチ１２２、メニュースイッチ１２４、コントロールスイッチ１２６、表示スイッチ１２８、画像サイズ切り換えスイッチ１３０などの操作スイッチの操作に応じて、画像処理部１５２、表示処理部１５６などを制御するＣＰＵなどを含む制御部１５８を備えている。
【００１０】
図１３はレンズ鏡筒１０を前方から見た斜視図、図１４はレンズ鏡筒１０を後方の下方から見た斜視図である。
図１５はレンズ鏡筒１０の正面図、図１６はレンズ鏡筒１０の背面図、図１７（Ａ）は図１５のＡ矢視図、（Ｂ）は図１５のＢ矢視図、図１８（Ｃ）は図１５のＣ矢視図、（Ｄ）は図１５のＤ矢視図である。
図１９は図１３のＡＡ線断面図、図２０は図１３のＢＢ線断面図である。
図２１はレンズ鏡筒１０の一部の構成を示す分解斜視図、図２２はレンズ鏡筒１０の残りの構成を示す分解斜視図である。
図２３はズーム用可動レンズ群１８、フォーカス用可動レンズ群２０の斜視図である。
【００１１】
図１３乃至図２２に示すように、レンズ鏡筒１０は、鏡筒１２と、対物レンズ１４と、撮像素子１１と、光学系１０４とを含んで構成されている。
本実施例では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１２】
図１３、図１４に示すように、鏡筒１２は、厚さと、厚さよりも大きな寸法の幅と、幅よりも大きな寸法の長さとを有する扁平な矩形板状を呈し、撮像素子１１と光学系１０４とは鏡筒１２の幅方向の中央からやや幅方向の一側寄りの部分で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２、１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図８、図９に示すように、レンズ鏡筒１０（鏡筒１２）の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。
したがって、鏡筒１２は、その幅方向、長さ方向、厚さ方向を、撮像装置１００のケース１０２の左右方向、上下方向、前後方向のそれぞれに合致させた状態でケース１０２内部に配置されることになる。
また、本実施例では、これら第１、第２、第３鏡筒分割体１２０２、１２０４、１２０６は合成樹脂材料によって形成されている。
【００１３】
図１９、図２０、図２１に示すように、第１鏡筒分割体１２０２は前壁、後壁、左壁、右壁により扁平な直方体状に形成され、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部に取着されている。
プリズム１６は、対物レンズ１４で捉えた像を下部に向けて（撮像素子１１側に）反射させるものである。プリズム１６は、部品収容空間１２０２Ａで対物レンズ１４の後方に臨む箇所に配置されている。
本実施例では、被写体像を撮像素子１１に導く光学系１０４の光路が、対物レンズ１４から後方に延在しプリズム１６の反射面に至る第１の光路部分と、プリズム１６の反射面から下方に延在し撮像素子１１に至る第２の光路部分とで構成され、図１９において符号Ｏ１は第１の光路部分の光軸を示し、符号Ｏ２は第２の光路部分の光軸を示している。
【００１４】
第１の固定レンズ群２２とズーム用可動レンズ群１８とは、部品収容空間１２０２Ａ内でプリズム１６の下方に配置されている。
第１の固定レンズ群２２は、図２１に示すように、第１鏡筒分割体１２０２の取付部に組み込まれる第１の固定レンズ２２０２を備え、この第１の固定レンズ２２０２に望ませて遮光枠２２０４が設けられている。
【００１５】
図１９、図２０、図２１に示すように、ズーム用可動レンズ群１８は、第１のズームレンズ１８０２と、互いに貼り合わされた第２、第３のズームレンズ１８０４、１８０５とで構成されている。
これら第１、第２、第３のズームレンズ１８０２、１８０４、１８０５はズーム用レンズ枠１８０６により支持されている。
ズーム用レンズ枠１８０６は、駆動手段３２によりメインガイド軸３８およびサブガイド軸４０に案内されつつそれらの光軸方向に沿って往復移動され、ズーム動作がなされる。
図２３に示すように、ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、図２１に示すように、鏡筒１２の長手方向において互いに対向するフランジ１８１６、１８１６が設けられ、これらフランジ１８１６、１８１６には、同軸上にそれぞれ孔が設けられている。そして、それら孔に軸３６０２、３６０２が回転可能に挿入されることで、それらフランジ１８１６、１８１６の間に雌ねじ部材３６が鏡筒１２の長手方向に移動不能にかつ軸３６０２を支点に揺動可能に結合されている。この雌ねじ部材３６はスプリング３６０１により互いに閉じる方向に付勢された一対のアームを有し、それらアームの向かい合う面にそれぞれ雌ねじ３６０４が設けられている。
【００１６】
また、図２３に示すように、延在部１８１２には、ロッド挿通孔１８１４が設けられている。
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行に直線状に延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
また、図２３に示すように、延在部１８１２とは反対側に位置する保持部１８１０の箇所で部品収容空間１２０２Ａの隅部に位置する箇所に係合溝１８１８が形成されている。
係合溝１８１８には、第１鏡筒分割体１２０２の長さ方向に延在するサブガイド軸４０（図２１）が滑動可能に挿通されている。したがって、サブガイド軸４０はズーム用レンズ１８がメインガイド軸３８の回りに回転することを阻止している。サブガイド軸４０は第１、第２、第３のズームレンズ１８０２、１８０４、１８０５の光軸と平行に直線状に延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１７】
図２１、図２３に示すように、ズーム用可動レンズ群１８を移動させる駆動手段３２は、鏡筒１２の長さ方向に延在する組み付け部材３２０２と、組み付け部材３２０２の上部に設けられたモータ３２０４と、組み付け部材３２０２に沿って延在しモータ３２０４により回転駆動される雄ねじ部材３２０６とを有している。
組み付け部材３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１８】
図１９、図２０、図２１に示すように、第３鏡筒分割体１２０６は、部品収容空間１２０２Ａ内に臨む内部部分１２０６Ａと、部品収容空間１２０２Ａの外側に臨む外部部分１２０６Ｂとを有している。
図２１に示すように、第２の固定レンズ群２４は、その光軸をズーム用可動レンズ群１８の光軸と一致させて内部部分１２０６Ａに取着され、第２固定レンズ２４の後面にアイリス（絞り）４２が配置されている。
このアイリス４２は、光学系１０４の光軸を前記幅方向で挟んで配置された２枚の絞り羽根４２０２と、各絞り羽根４２０２を前記幅方向に移動可能に案内する案内部材４２０４とを備えている。
アイリス４２は、第３鏡筒分割体１２０６の外部部分１２０６Ｂに取着された駆動部４４により２枚の絞り羽根４２０２が接離する方向に移動されることで、２枚の絞り羽根４２０２が開閉されこれにより前記光軸に沿って進行する光束の光量を調節するように構成されている。
【００１９】
図２２に示すように、第２鏡筒分割体１２０４は、前壁１２０５Ａ、後壁１２０５Ｂ、左壁１２０５Ｃ、右壁１２０５Ｄにより直方体状に形成され、第２鏡筒分割体１２０４の内部には、断面が矩形で上下に開放された部品収容空間１２０４Ａが形成されている。
第２鏡筒分割体１２０４の下部に撮像素子取付用の組み付け部材４６および撮像素子１１が取着されることでこの部品収容空間１２０４Ａの下端は閉塞されている。したがって、本実施例では、第２鏡筒分割体１２０４は組み付け部材４６を含んで構成されている。
具体的には、図２０に示すように、第２鏡筒分割体１２０４の下部には撮像素子１１を配設するための撮像素子用取付部１２０５が設けられている。
撮像素子用取付部１２０５は、撮像素子１１を部品収容空間１２０４Ａに臨ませる開口１２０４Ｂと、この開口１２０４Ｂの周囲に設けられた取付座１２０４Ｅとを備えている。
本実施例では、撮像素子１１と組み付け部材４６などにより撮像素子ユニット５４が構成されており、この撮像素子ユニット５４が撮像素子用取付部１２０５に取付けられることで撮像素子１１が鏡筒１２に配設されている。
フォーカス用可動レンズ群２０と第３の固定レンズ群２６は、部品収容空間１２０４Ａ内で第２鏡筒分割体１２０４の幅方向中央に位置する箇所に配置されている。
【００２０】
図２２に示すように、フォーカス用可動レンズ群２０は、互いに貼り合わされた第１、第２のフォーカスレンズ２００２、２００４で構成されている。
これら第１、第２のフォーカスレンズ２００２、２００４は、フォーカス用レンズ枠２００６により支持されている。
フォーカス用レンズ枠２００６は、駆動手段３４によりメインガイド軸５０およびサブガイド軸５２に案内されつつそれらの光軸方向に沿って往復移動され、フォーカス動作がなされる。
図２３に示すように、フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、図２２に示すように、鏡筒１２の長手方向において互いに対向するフランジ２０１６、２０１６が設けられ、これらフランジ２０１６、２０１６には、同軸上にそれぞれ孔が設けられている。そして、それら孔に軸４８０２、４８０２が回転可能に挿入されることで、それらフランジ２０１６、２０１６の間に雌ねじ部材４８が鏡筒１２の長手方向に移動不能にかつ軸４８０２を支点に揺動可能に結合されている。この雌ねじ部材４８はスプリング４８０１により互いに閉じる方向に付勢された一対のアームを有し、それらアームの向かい合う面にそれぞれ雌ねじ４８０４が設けられている。
【００２１】
また、図２２に示すように、延在部２０１２には、ロッド挿通孔２０１４が設けられている。
図２２、図２３に示すように、ロッド挿通孔２０１４には、金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して直線状に延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
また、図２３に示すように、延在部２０１２とは反対側に位置する保持部２０１０に係合溝２０１８が形成されている。
係合溝２０１８には、サブガイド軸５２（図２２）が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は第１、第２のフォーカスレンズ２００２、２００４の光軸と平行に直線状に延在しており、本実施例では第２鏡筒分割体１２０４の長さ方向に延在している。
フォーカス用可動レンズ群２０用の案内機構３０は、これらメインガイド軸５０とサブガイド軸４０によって構成されている。
【００２２】
図２２、図２３に示すように、フォーカス用可動レンズ群２０を移動させる駆動手段３４は、鏡筒１２の長さ方向に延在する組み付け部材３４０２と、組み付け部材３４０２の下部に設けられたモータ３４０４と、組み付け部材３４０２に沿って延在しモータ３４０４により回転駆動される雄ねじ部材３４０６とを有している。
組み付け部材３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
【００２３】
なお、図１９に示すように、部品収容空間１２０４Ａに臨む第２鏡筒分割体１２０４の前面箇所および後面箇所で第２鏡筒分割体１２０４Ａの上端と第３の固定レンズ群２６との間の箇所には凹凸部１２０４Ｃが設けられている。
また、部品収容空間１２０４Ａに臨む第２鏡筒分割体１２０４の前面箇所および後面箇所で第３の固定レンズ群２６と撮像素子１１との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の前面箇所および後面箇所に到達した光が該後面箇所で反射されることで、いわゆるフレアあるいはゴーストと呼ばれる反射光が発生し、この反射光が撮像素子１１の受光面に到達して撮像素子１１の撮像信号に対して悪影響を及ぼすことを防止するために設けられている。
なお、撮像素子１１から遠い箇所に設けられた凹凸部１２０４Ｃの凹凸の間隔に対して撮像素子１１から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２４】
図１９に示すように、第３の固定レンズ群２６は、撮像素子１１の上方でフォーカス用可動レンズ群２０の下方の部品収容空間１２０４Ａ箇所に配置されている。
なお、図２２に示すように、第１鏡筒分割体１２０２と第２鏡筒分割体１２０４と第３鏡筒分割体１２０６とは、前記駆動部４４近傍の箇所でねじ２０２により互いに取着され、かつ、前記駆動部３４近傍の箇所でねじ２０４により互いに取着されている。
【００２５】
次に、撮像素子１１の取り付け構造について説明する。
図１は撮像素子ユニット５４の断面図、図２は撮像素子ユニット５４の上下を反転させた状態で示す斜視図、図３は撮像素子ユニット５４の分解斜視図、図４は撮像素子ユニット５４の上下を反転させた状態で示す分解斜視図、図５は撮像素子ユニット５４のうち組み付け部材４６の上部に取着される部材の構成を示す分解斜視図、図６は撮像素子ユニット５４の組み立て調整の説明図、図８（Ａ）は撮像素子１１の背面図、（Ｂ）は撮像素子１１の背面にフレキシブル基板６６の撮像素子側端部６６０２が接続された状態を示す背面図である。
【００２６】
図１、図３、図４に示すように、撮像素子ユニット５４は、撮像素子１１、組み付け部材４６、補強板６４、フレキシブル基板６６を備えている。
図１に示すように、撮像素子１１は、パッケージ１１０２と撮像部１１０４と撮像素子側接続端子１１１０（図８（Ａ）参照）とを含んで構成されている。
パッケージ１１０２は、扁平な矩形板状（本実施例では長方形板状）を呈し、厚さ方向の両側に形成された表面１１０６および背面１１０８と、表面１１０６および背面１１０８の周囲を接続する４つの側面１１１０とを有している。パッケージ１１０２は本実施例では、セラミック材料が厚さ方向に積層されることで形成されている。
撮像部１１０４は、被写体像が導かれる（被写体像を撮像する）撮像面１１１２がパッケージ１１０２の表面１１０６に臨むようにパッケージ１１０２の収容凹部に配置されて、この収容凹部は板状のシールガラス１１１３により閉塞され、撮像部１１０４はパッケージ１１０２の内部に保持され封止されている。
図８（Ａ）に示すように、撮像素子側接続端子１１１０は、パッケージ１１０２の背面１１０８の両側にそれぞれ設けられ、撮像部１１０４に接続されている。撮像素子側接続端子１１１０は、撮像部１１０４で捉えた映像をフレキシブル基板６６を介して外部に伝送するためのものである。
本実施例では、撮像素子側接続端子１１１０は、例えば背面１１０８の対向する２つの長辺に沿ってその長辺の全長にわたり間隔をおいて配置され、半田付けを行うための導電性材料によるメッキ層が形成されている。
【００２７】
図１〜図４に示すように、フレキシブル基板６６は、撮像素子側接続端子１１１０に接続可能な基板側接続端子６６１０がその表面に設けられた撮像素子側端部６６０２と、撮像素子側端部６６０２から延出された延出部６６０４とを含んで構成されている。
詳細に説明すると、撮像素子側端部６６０２は、撮像素子１１の背面１１０８の輪郭とほぼ等しいかやや大きい輪郭を有した矩形（本実施例では長方形）を呈している。
本実施例では、基板側接続端子６６１０は、撮像素子側端部６６０２の表面で対向する２つの長辺に沿って間隔をおいて配置され、半田付けを行うための導電性材料によるメッキ層が形成されている。
延出部６６０４は、撮像素子側端部６６０２の２つの長辺のうちの一方の長辺からこの長辺と直交する方向に延出され撮像素子１１の背面１１０８とほぼ同じ大きさの第１延出部６６０４Ａと、第１延出部６６０４Ａの側縁から前記長辺と平行する方向に延在する第２延出部６６０４Ｂを有している。
図２に示すように、第２延在部６６０４Ｂの端部には画像処理部１５２に電気的に接続される端子部６６０４Ｃが設けられている。
そして、図８（Ｂ）に示すように、撮像素子１１の背面１１０８の全域を撮像素子側端部６６０２の全域に合わせて背面１１０８を撮像素子側端部６６０２に載置し、撮像素子側端子１１１０と基板側接続端子６６１０とが半田付けされることにより、撮像素子１１の背面１１０８にフレキシブル基板６６（撮像素子側端部６６０２）が取着される。
【００２８】
図１、図３に示すように、補強板６４は矩形板状を呈し、フレキシブル基板６６の撮像素子側端部６６０２の箇所を覆うようにフレキシブル基板６６の背面に両面粘着テープなどにより接着され取着されている。
補強板６４は、後述するように撮像素子１１を組み付け部材４６と協働して保持するものであり、従って撮像素子１１を保持するに足る剛性を有する材料で形成され、このような材料として、例えば、アルミニウムが使用可能である。
詳細に説明すると、補強板６４は、パッケージ１１０２の短辺方向の寸法とほぼ合致した寸法の短辺と、パッケージ１１０２の長辺方向の寸法よりも大きな寸法の長辺とを有している。
そして、補強板６４の撮像素子側端部６６０２の背面への取着は、補強板６４の短辺とパッケージ１１０２の短辺とを平行させ、かつ、補強板６４の長辺とパッケージ１１０２の長辺とをそれらの中央が合致するように合わせた状態でなされる。したがって、補強板６４の長辺方向の両側は、パッケージ１１０２の長辺方向の両側から突出する突出箇所６４０２となる。
このように撮像素子側端子１１１０と基板側接続端子６６１０とが半田付けされることにより撮像素子１１と撮像素子側端部６６０２の一方の面が取着され、さらに、両面粘着テープにより撮像素子側端部６６０２の他方の面と補強板６４とが取着されることで図３、図４に示すように撮像素子アセンブリ７０が形成されている。
【００２９】
図１乃至図４に示すように、組み付け部材４６は、その厚さ方向の両端に位置する前面４６Ａおよび背面４６Ｂと、撮像素子１１よりも大きな輪郭で厚さ方向に延在形成された収容凹部４６０２と、収容凹部４６０２の外側の箇所に設けられた組み付け部４６０８を有している。
本実施例では、収容凹部４６０２は、撮像素子１１が収容される大きさの矩形で前面４６Ａから背面４６Ｂにわたって貫通形成され、組み付け部４６０８は、収容凹部４６０２の両側に設けられている。
組み付け部材４６の前面４６Ａには、収容凹部４６０２に撮像素子１１が収容された状態で撮像部１１０４を露出させる第１開口４６０４が設けられ、背面４６Ｂには収容凹部４６０２に撮像素子１１が収容された状態でパッケージ１１０２の背面１１０８を露出させる第２開口４６０６が設けられている。
組み付け部材４６の前面４６Ａで第１開口４６０４の両側から第２鏡筒分割体１２０４への組み込み用の差込片４６１０が突設されている。
また、各組み付け部４６０８には位置決め孔４６１２とねじ挿通孔４６１４（特許請求の範囲のボルト挿通孔に相当）が貫通形成されている。
また、各組み付け部４６０８の背面には、前面４６Ａ側に窪む（前面４６Ａ側に開放状の）接着剤充填用凹部４６１６が第２開口４６０６の短辺方向に間隔をおいて複数設けられている。
そして、撮像素子アセンブリ７０を構成する撮像部１１０４が第１開口４６０４から露出するように撮像素子１１が収容凹部４６０２に収容された状態で、撮像素子側端部６６０２およびパッケージ１１０２の両側から突出する補強板６４の突出箇所６４０２と、両側の組み付け部４６０８の背面４６Ｂとが接着剤充填用凹部４６１６に充填された接着剤Ｓで接着され、撮像素子ユニット５４が形成されている。
【００３０】
また、撮像素子ユニット５４には、図５に示すように、シールゴム５６、遮光シート５８、フィルタ６０が設けられている。
すなわち、組み付け部材４６の前面４６Ａの第１開口４６０４周囲に枠状のシールゴム５６が配設され、シールゴム５６の内側に撮像部１１０４に臨む空間５７が形成されている。
この空間５７を閉塞するようにシールゴム５６の上端に枠状の遮光シート５８を介して板状のフィルタ６０が配設されている。本実施例ではフィルタ６０はローパスフィルタによって構成されている。
フィルタ６０は、組み付け部材４６に取着された押え部材６２により遮光シート５８を介してシールゴム５６の上端を押さえ付けるように配設されており、シールゴム５６はフィルタ６０により圧縮されている。押え部材６２は、該押え部材６２の係合溝６２０２に組み付け部材４６の係合爪４６３０が係合することで組み付け部材４６に取着されている。
したがって空間５７はシールゴム５６、遮光シート５８、フィルタ６０などにより閉塞され、塵埃などの侵入が防止されている。
【００３１】
次に、組み付け部材４６および補強板６４を用いた撮像素子ユニット５４の組立について説明する。
上述のように撮像素子１１と撮像素子側端部６６０２が取着され、撮像素子側端部６６０２と補強板６４とが取着され、撮像素子アセンブリ７０が形成されている。
本実施例では、組み立て装置を用いて撮像素子アセンブリ７０の撮像素子１１が組み付け部材４６に対して位置決めされる。
図６は組み立て装置２００の正面図である。
組み立て装置２００は、テーブル２０２を有し、テーブル２０２の上面に治具８０が設けられ、治具８０の両側に接着剤塗布用のシリンジ８２が設けられ、治具８０の上方に紫外線光を照射する光源８４が設けられている。
位置決めに際して、組み付け部材４６の前面４６Ａを上方に臨ませるととともに、フレキシブル基板６６に取着（半田付け）された撮像素子１１を、その撮像面１１１２を第１開口４６０４から露出させて組み付け部材４６の収容凹部４６０２に挿入する。
この状態で、撮像面１１１２を下方に向けて治具８０に取り付け、この取り付けにより組み付け部材４６は移動不能に治具８０に支持される。
この状態で、組み付け部材４６に対してパッケージ１１０２を動かしパッケージ１１０２の位置、すなわち、撮像素子１１の位置を調整する。詳細には、互いに直交するＸ、Ｙ、Ｚ軸における撮像素子１１の位置、および、Ｘ、Ｙ、Ｚ軸に対する撮像素子１１の傾きを調整する。すなわち、６軸調整する。
具体的には、撮像素子ユニット５４が位置決め孔４６１２を介して撮像素子用取付部１２０５に取付けられたときに、撮像部１１０４の撮像面１１１２の中心が前記光学系の光軸と一致し、かつ、該光軸と直交するように撮像素子１１の位置調整がなされる。
このような位置調整は、予め治具８０の下方に配置された所定のテストチャート（テストパターン）を撮像素子１１で撮像させ、該撮像素子１１から得られた撮像信号に基づいて生成された画像データに基づいて行なうことができる。
前記位置調整が完了した状態で、撮像素子側端部６６０２およびパッケージ１１０２の両側から突出する補強板６４の突出箇所６４０２と、各組み付け部４６０８の背面４６Ｂとが互いに対向する。
この状態で、補強板６４の突出箇所６４０２と各組み付け部４６０８の接着剤充填用凹部４６１６とにわたってシリンジ８２（ディスペンサ）によってＵＶ硬化型接着剤Ｓが充填される。
この際、接着剤充填用凹部４６１６は、上方に開放状となることからＵＶ硬化型接着剤Ｓの充填が容易かつ確実になされる。
ＵＶ硬化型接着剤Ｓは硬化前において粘性を有し半流動体状を呈しているので、充填されたＵＶ硬化型接着剤Ｓは補強板６４の突出箇所６４０２と組み付け部４６０８の接着剤充填用凹部４６１６との間に保持された状態となる。
次いで、補強板６４の突出箇所６４０２と各組み付け部４６０８の接着剤充填用凹部４６１６との間に保持されたＵＶ硬化型接着剤Ｓに対して光源８４から紫外線を照射し硬化させる。この際、組み付け部材４６の接着剤充填用凹部４６１６は、組み付け部材４６の外側に露出していること、上方に開放状となっていることから、充填されたＵＶ硬化型接着剤Ｓに対する紫外線の照射が容易かつ確実になされる。
これにより、撮像素子アセンブリ７０の撮像素子１１と組み付け部材４６とは位置決めされた状態で接着される。
さらに、本実施例では、フレキシブル基板６６の第１延出部６６０４Ａが撮像素子側端部６６０２上に折り畳まれ、後述するように鏡筒１２に組み付けられる。
【００３２】
次に、このように撮像素子１１が接着された組み付け部材４６に対してシールゴム５６、遮光シート５７、フィルタ６０、押え部材６２を組付ける。
すなわち、図５に示すように、組み付け部材４６の前面４６Ａの第１開口４６０４周囲に、枠状のシールゴム５６、シールゴム５６、遮光シート５８をこの順番で載置していき、次いで押え部材６２を組み付け部材４６の前面４６Ａに取着する。
このようにして撮像素子ユニット５４が組み立てられる。
【００３３】
鏡筒１２の撮像素子用取付部１２０５に対する撮像素子ユニット５４の取り付けは、鏡筒１２の開口１２０４Ｂに組み付け部材４６の差込片４６１０を挿入し、鏡筒１２の取付座１２０４Ｃに両側の組み付け部４６０８を当接させ、ねじ挿通孔４６１４に挿通したねじを取り付け座１２０４Ｅのねじ孔に螺合し締結することによってなされる。
なお、撮像素子用取付部１２０５には不図示のノックピンが設けられており、鏡筒１２の開口１２０４Ｂに組み付け部材４６の差込片４６１０を挿入した状態で、前記ノックピンが組み付け部４６０８の位置決め孔４６１２に挿入されることで撮像素子ユニット５４の位置決めがなされるように構成されている。
【００３４】
本実施例によれば、撮像素子１１のパッケージ１１０２の背面１１０８に半田付けで取着されたフレキシブル基板６６に補強板６４を取着し、この補強板６４がパッケージ１１０２から突出する突出箇所６４０２と、組み付け部４６０８の背面４６Ｂ（接着剤充填用凹部４６１６）との間を接着剤Ｓにより接着して固定した。
そのため、補強板６４の突出箇所６４０２と組み付け部材４６の背面４６Ｂ箇所を利用することで、接着剤Ｓによって接着される面積を確保することができ、パッケージ１１０２の小型化に伴いパッケージ１１０２の面積が少なくなった場合であっても、撮像素子１１を補強板６４を介して組み付け部材４６に強固に接着でき、撮像素子１１の接着強度を確保しつつレンズ鏡筒および撮像装置の小型化を図る上で有利となる。
また、本実施例では、撮像素子１１のパッケージ１１０２が長方形板状を呈し、パッケージ１１０２をその長辺方向で挟む２箇所において、補強板６４がパッケージ１１０２から突出する突出箇所６４０２と、組み付け部４６０８の背面４６Ｂ（接着剤充填用凹部４６１６）との間を接着剤Ｓにより接着して固定した。
したがって、撮像素子１１の短辺側には、補強板６４と組み付け部材４６を接着するための部分を設ける必要がないため、撮像素子１１、補強板６４、組み付け部材４６が撮像素子１１の長辺と直交する方向（短辺方向）の寸法を縮小する上で有利となる。
このため、レンズ鏡筒の寸法のうち、撮像素子１１の短辺方向に沿った寸法を縮小することができ、レンズ鏡筒および撮像装置の小型化、薄型化を図る上で有利となる。
【００３５】
なお、実施例では、接着剤ＳとしてＵＶ硬化型接着剤を用いた場合について説明したが、接着剤の種類はＵＶ硬化型接着剤に限定されるものではなく従来公知の様々な接着剤を用いることができる。
また、本実施例においては、撮像装置としてデジタルスチルカメラを例示したが、本発明はビデオカメラやテレビカメラなど撮像装置に無論適用可能である。
【図面の簡単な説明】
【００３６】
【図１】撮像素子ユニット５４の断面図である。
【図２】撮像素子ユニット５４の上下を反転させた状態で示す斜視図である。
【図３】撮像素子ユニット５４の分解斜視図である。
【図４】撮像素子ユニット５４の上下を反転させた状態で示す分解斜視図である。
【図５】撮像素子ユニット５４のうち組み付け部材４６の上部に取着される部材の構成を示す分解斜視図である。
【図６】撮像素子ユニット５４の組み立て調整の説明図である。
【図７】（Ａ）は撮像素子１１の背面図、（Ｂ）は撮像素子１１の背面にフレキシブル基板６６の撮像素子側端部６６０２が接続された状態を示す背面図である。
【図８】撮像装置を前方から見た斜視図である。
【図９】撮像装置の正面図である。
【図１０】撮像装置の背面図である。
【図１１】撮像装置の平面図である。
【図１２】撮像装置の制御系を示すブロック図である。
【図１３】レンズ鏡筒１０を前方から見た斜視図である。
【図１４】レンズ鏡筒１０を後方の下方から見た斜視図である。
【図１５】レンズ鏡筒１０の正面図である。
【図１６】レンズ鏡筒１０の背面図である。
【図１７】（Ａ）は図１５のＡ矢視図、（Ｂ）は図１５のＢ矢視図である。
【図１８】（Ｃ）は図１５のＣ矢視図、（Ｄ）は図１５のＤ矢視図である。
【図１９】図１３のＡＡ線断面図である。
【図２０】図１３のＢＢ線断面図である。
【図２１】レンズ鏡筒１０の一部の構成を示す分解斜視図である。
【図２２】レンズ鏡筒１０の残りの構成を示す分解斜視図である。
【図２３】ズーム用可動レンズ群１８、フォーカス用可動レンズ群２０の斜視図である。
【符号の説明】
【００３７】
１０……レンズ鏡筒、１１……撮像素子、１１０２……パッケージ、１１０４……撮像部、１１０８……背面、４６……組み付け部材、４６Ａ……前面、４６Ｂ……背面、４６０２……収容凹部、４６０４……第１開口、４６０６……第２開口、４６０８……組み付け部、５４……撮像素子ユニット、６４……補強板、６６……フレキシブル基板、６６０２……撮像素子側端部、１００……撮像装置。
【図１】
2006254310.tif 000003
【図２】
2006254310.tif 000004
【図３】
2006254310.tif 000005
【図４】
2006254310.tif 000006
【図５】
2006254310.tif 000007
【図６】
2006254310.tif 000008
【図７】
2006254310.tif 000009
【図８】
2006254310.tif 000010
【図９】
2006254310.tif 000011
【図１０】
2006254310.tif 000012
【図１１】
2006254310.tif 000013
【図１２】
2006254310.tif 000014
【図１３】
2006254310.tif 000015
【図１４】
2006254310.tif 000016
【図１５】
2006254310.tif 000017
【図１６】
2006254310.tif 000018
【図１７】
2006254310.tif 000019
【図１８】
2006254310.tif 000020
【図１９】
2006254310.tif 000021
【図２０】
2006254310.tif 000022
【図２１】
2006254310.tif 000023
【図２２】
2006254310.tif 000024
【図２３】
2006254310.tif 000025